(57)【要約】【課題】  磁気による血行の改善作用を得るために磁石を取り付ける場合であっても、その検針作業を容易に行うことを可能にした肌着を提供する。【解決手段】  磁石２を備えた肌着であって、磁石２が配置される部位に該磁石２を収容するためのポケット３を設ける。ポケット３は磁石２を覆う融着繊維製の被覆材４を有し、該被覆材４の開口部を熱融着により封止することが好ましい。【選択図】  図１
2005273114.tif 000002
【特許請求の範囲】
【請求項１】
磁石を備えた肌着であって、前記磁石が配置される部位に該磁石を収容するためのポケットを設けた肌着。
【請求項２】
前記ポケットが前記磁石を覆う融着繊維製の被覆材を有し、該被覆材の開口部を熱融着により封止した請求項１に記載の肌着。
【請求項３】
前記ポケットが前記磁石を覆う２層の被覆材を有し、一方の被覆材の開口部を他方の被覆材で覆うようにした請求項１に記載の肌着。
【請求項４】
前記磁石の磁束密度が１００〜３０００ガウスである請求項１〜３のいずれかに記載の肌着。
【発明の詳細な説明】
【技術分野】
【０００１】
本発明は、アンダーシャツ等の肌着に関し、さらに詳しくは、磁気による血行の改善作用を得るために磁石を取り付ける場合であっても、その検針作業を容易に行うことを可能にした肌着に関する。
【背景技術】
【０００２】
従来より、磁石には血行の改善作用があることが知られており、所定の磁束密度を有する磁石を皮膚に直接貼り付けるようにした磁気健康用品が広く普及している（例えば、特許文献１参照）。
【０００３】
ところで、上記のような磁石を予め肌着に取り付けておけば、磁石を皮膚に貼り付けるという煩わしさを伴うことなく、磁気による血行の改善作用を得ることができる。しかしながら、肌着に磁石を縫い付けた場合、縫製後に金属探知機による検針を行うことができず、その検針作業が煩雑になるという問題がある。
【特許文献１】特開２０００−３４２６９８号公報
【発明の開示】
【発明が解決しようとする課題】
【０００４】
本発明の目的は、磁気による血行の改善作用を得るために磁石を取り付ける場合であっても、その検針作業を容易に行うことを可能にした肌着を提供することにある。
【課題を解決するための手段】
【０００５】
上記目的を解決するための本発明の肌着は、磁石を備えた肌着であって、前記磁石が配置される部位に該磁石を収容するためのポケットを設けたことを特徴とする。
【発明の効果】
【０００６】
本発明では、肌着において、磁石が配置される部位に該磁石を収容するためのポケットを設けている。そのため、肌着を縫製し、金属探知機による検針を行った後で、所望の磁石をポケット内に挿入することができる。これにより、磁気による血行の改善作用を得るために磁石を取り付ける場合であっても、肌着の検針作業を金属探知機を用いて容易に行うことができる。
【０００７】
本発明において、上記ポケットは磁石を覆う融着繊維製の被覆材を有し、該被覆材の開口部を熱融着により封止することが好ましい。或いは、上記ポケットは磁石を覆う２層の被覆材を有し、一方の布帛の開口部を他方の被覆材で覆うことが好ましい。これら構造を採用した場合、磁石の脱落を防止することができる。被覆材としては、布帛（織物）、編み物、ネット等を使用することができる。なお、磁石の磁束密度は１００〜３０００ガウスであると良い。
【発明を実施するための最良の形態】
【０００８】
以下、本発明の構成について添付の図面を参照しながら詳細に説明する。
【０００９】
図１〜図３は本発明の実施形態からなる肌着（アンダーシャツ）を示すものである。図１に示すように、本実施形態の肌着は、上半身に着用する半袖のアンダーシャツ１である。このアンダーシャツ１は、布帛を所定の形状に裁断し、それら裁断片を互いに縫い合わせた構成になっている。そして、アンダーシャツ１の両肩部分にはそれぞれ磁石２を収容するためのポケット３が形成されている。
【００１０】
図２及び図３に示すように、ポケット３は磁石２を覆う融着繊維製の被覆材４を備えている。融着繊維としては、加熱により融解する繊維であれば特に限定されるものではないが、例えば、芯部分がポリプロピレン、鞘部分がポリエチレンから構成される芯鞘構造の熱融着繊維を用いることができる。被覆材４は、平面視において矩形をなしているが、その３辺が縫い糸５によってアンダーシャツ１に縫い付けられている。この被覆材４は、縫製が完了した状態では残りの１辺が開口しているが、ポケット３内に磁石２を挿入した後で、その開口部（非縫製部）が熱融着により封止されている。即ち、被覆材４の１辺には融着部６が形成されている。
【００１１】
上述のように構成される肌着では、磁石２が配置される部位に該磁石２を収容するためのポケット３を設けているので、肌着を縫製した時点で金属探知機による検針を行うことができ、その後、磁石２をポケット３内に挿入することができる。これにより、磁気による血行の改善作用を得るために磁石２を取り付ける場合であっても、肌着の検針作業を容易に行うことができる。しかも、被覆材４の開口部を熱融着した状態では、磁石２のポケット３からの脱落を確実に防止することができる。
【００１２】
図４〜図７は本発明の他の実施形態からなる肌着（アンダーシャツ）を示すものである。図４に示すように、本実施形態の肌着は、上半身に着用する半袖のアンダーシャツ１１である。このアンダーシャツ１１は、布帛を所定の形状に裁断し、それら裁断片を互いに縫い合わせた構成になっている。そして、アンダーシャツ１１の両肩部分にはそれぞれ磁石１２を収容するためのポケット１３が形成されている。
【００１３】
図５〜図７に示すように、ポケット１３は磁石１２を覆う２層の被覆材１４ａ，１４ｂを備えている。これら被覆材１４ａ，１４ｂは、重ね合わせた状態で縫い糸１５によってアンダーシャツ１１に縫い付けられている。即ち、内側の被覆材１４ａの開口部（非縫製部）を外側の被覆材１４ｂで覆い、これら２重の被覆材１４ａ，１４ｂにより磁石１２をしっかりと保持するようになっている。また、被覆材１４ａ，１４ｂの縁部を折り返してストッパーを形成すれば、磁石１２が脱落し難くなる。
【００１４】
上述のように構成される肌着では、磁石１２が配置される部位に該磁石１２を収容するためのポケット１３を設けているので、肌着を縫製した時点で金属探知機による検針を行うことができ、その後、磁石１２をポケット１３内に挿入することができる。これにより、磁気による血行の改善作用を得るために磁石１２を取り付ける場合であっても、肌着の検針作業を容易に行うことができる。しかも、ポケット１３は磁石１２を覆う２層の被覆材１４ａ，１４ｂを有し、一方の被覆材１４ａの開口部を他方の被覆材１４ｂで覆っているので、磁石１２のポケット１３からの脱落を確実に防止することができる。また、上記ポケット１３では磁石１２を交換することも可能である。
【００１５】
なお、内側の被覆材１４ａの開口部を外側の被覆材１４ｂで覆うようにした場合、磁石１２のポケット１３からの脱落が生じることは殆どないが、前述の実施形態と同様に、被覆材１４ａや被覆材１４ｂなどに融着繊維を用い、ポケット１３内に磁石１２を挿入した後で外側の被覆材１４ｂの開口部を熱融着により封止することも可能である。
【００１６】
上記肌着において、各ポケットには少なくとも１個の磁石を挿入することが必要であるが、各ポケットに対して複数個の磁石を挿入するようにしても良い。磁石の強さは特に限定されるものではないが、その磁束密度は１００〜３０００ガウス（１０〜３００ｍＴ）であることが望ましい。この磁束密度が１００ガウス未満であると血行の改善作用が不十分になる。磁石の磁束密度は高いほうが良いが、過度に高いものを使用するとコストの増加に繋がる。
【００１７】
上述した実施形態ではアンダーシャツについて説明したが、本発明は、ブラジャー、ショーツ、トランクス、靴下等の種々の肌着を包含するものである。これら肌着において、磁石を配置する部位は任意に選択することが可能である。
【図面の簡単な説明】
【００１８】
【図１】本発明の実施形態からなる肌着（アンダーシャツ）を示す正面図である。
【図２】図１の肌着に設けたポケットを示す平面図である。
【図３】図２のＸ−Ｘ矢視断面図である。
【図４】本発明の他の実施形態からなる肌着（アンダーシャツ）を示す正面図である。
【図５】図４の肌着に設けたポケットを示す平面図である。
【図６】図５のＹ−Ｙ矢視断面図である。
【図７】図５のＺ−Ｚ矢視断面図である。
【符号の説明】
【００１９】
１，１１  アンダーシャツ
２，１２  磁石
３，１３  ポケット
４，１４ａ，１４ｂ  被覆材
５，１５  縫い糸
【図１】
2005273114.tif 000003
【図２】
2005273114.tif 000004
【図３】
2005273114.tif 000005
【図４】
2005273114.tif 000006
【図５】
2005273114.tif 000007
【図６】
2005273114.tif 000008
【図７】
2005273114.tif 000009